(57)【要約】【課題】ゴルフバッグに装着することができ、その装着作業が簡単で、小物を出し入れし易いゴルフバッグ用小物入れ、およびこのゴルフバッグ用小物入れに用いるのに適したホルダーを提供する。【解決手段】このゴルフバッグ用小物入れ１は、上部にゴルフクラブを出し入れするための開口１２を有し、当該開口を囲む口枠部２０の外側面に付属品を取り付けるための取付具２１が設けられたゴルフバッグ１０の取付具２１に取り付けて使用される。ゴルフバッグ用小物入れ１は、小物３１を収容可能なケース２と、一端に取付具２１に結合可能な被取付具７が設けられ、他端にケース２を保持する保持具８が設けられた変形可能な帯状または紐状のホルダー３とを備える。【選択図】図５
0003220010.tif 000002
【実用新案登録請求の範囲】
【請求項１】
上部にゴルフクラブを出し入れするための開口を有し、当該開口を囲む口枠部の外側面に付属品を取り付けるための取付具が設けられたゴルフバッグの前記取付具に取り付けて使用されるゴルフバッグ用小物入れであって、
小物を収容可能なケースと、一端に前記取付具に結合可能な被取付具が設けられ、他端に前記ケースを保持する保持具が設けられた変形可能な帯状または紐状のホルダーとを備えることを特徴とするゴルフバッグ用小物入れ。
【請求項２】
請求項１に記載のゴルフバッグ用小物入れにおいて、前記取付具と前記被取付具とで、凹部材と凸部材とを係合させて互いに結合するホックボタンを構成するゴルフバッグ用小物入れ。
【請求項３】
請求項１または請求項２に記載のゴルフバッグ用小物入れにおいて、前記保持具は、前記ケースを挟持および解放可能なクリップであるゴルフバッグ用小物入れ。
【請求項４】
上部にゴルフクラブを出し入れするための開口を有し、当該開口を囲む口枠部の外側面に付属品を取り付けるための取付具が設けられたゴルフバッグの前記取付具に取り付けて使用されるホルダーであって、
変形可能な帯状または紐状で、一端に前記取付具に結合可能な被取付具が設けられ、他端に物品を保持することが可能な保持具が設けられていることを特徴とするホルダー。
【考案の詳細な説明】
【技術分野】
【０００１】
本考案は、ゴルフバッグに取り付けて使用され、ゴルフのプレー時に使用するティー、マーカー等の小物を入れるのに適したゴルフバッグ用小物入れ、およびこのゴルフバッグ用小物入れに用いられるホルダーに関する。
【背景技術】
【０００２】
ゴルフのプレー時には、ティー、マーカー等のゴルフ小物を使用する。従来、これらの小物は、プレー中、プレーヤー自身の着衣のポケットに入れておくことが多かった。しかし、土が付着したティーやマーカーをポケットに入れると、着衣が汚れるという問題がある。
【０００３】
そこで、ティーやマーカーを着衣のポケットに入れずに済むように、ゴルフバッグに装着する小物入装置（特許文献１）や、ズボンのベルト等に装着するゴルフ小物携帯具が提案されている（特許文献２）。
【先行技術文献】
【特許文献】
【０００４】
【特許文献１】実開昭６３−７４１５２号公報
【特許文献２】実用新案登録第３１４１５３１号公報
【考案の概要】
【考案が解決しようとする課題】
【０００５】
特許文献１の小物入れ装置は、ホックボタン等の止め具でゴルフバッグの上部外周に仮止めすると共に、ベルトによりゴルフバッグの上部に締め付けて、ゴルフバッグに装着する。このように、ゴルフバッグへの装着に止め具による仮止め、並びにベルトによる締付けという２段階の作業を要するため、装着作業が面倒である。また、この小物入れ装置は、小物を入れる袋体をゴルフバッグの上部に固定状態で装着するため、ゴルフクラブ等が邪魔になって袋体から小物を出し入れし難い場合がある。
【０００６】
特許文献２のゴルフ小物携帯具は、プレーヤー自身のズボンのベルト等に装着する。このため、プレー時や移動時にゴルフ小物携帯具が動いて、スイングや歩行動作に支障をきたすおそれがある。
【０００７】
この考案の目的は、プレーヤーの身体に装着するのではなくゴルフバッグに装着することができ、その装着作業が簡単で、小物を出し入れし易いゴルフバッグ用小物入れ、およびこのゴルフバッグ用小物入れに用いるのに適したホルダーを提供することである。
【課題を解決するための手段】
【０００８】
上記の課題を解決するために、本考案は、次のように構成した。すなわち、本考案に係るゴルフバッグ用小物入れは、上部にゴルフクラブを出し入れするための開口を有し、当該開口を囲む口枠部の外側面に付属品を取り付けるための取付具が設けられたゴルフバッグの前記取付具に取り付けて使用され、小物を収容可能なケースと、一端に前記取付具に結合可能な被取付具が設けられ、他端に前記ケースを保持する保持具が設けられた変形可能な帯状または紐状のホルダーとを備えることを特徴としている。
【０００９】
この構成によると、ゴルフバッグの取付具にホルダーの被取付具を結合するだけで、ゴルフバッグ用小物入れをゴルフバッグに簡単に装着することができる。装着状態において、変形可能な帯状または紐状のホルダーを介してケースがゴルフバッグに繋がった状態となるため、ホルダーの変形範囲内でゴルフバッグに対するケースの位置を変えることができる。そのため、ゴルフクラブ等の障害物を避けて、ケースから小物を楽に取り出すことができる。
【００１０】
この考案のゴルフバッグ用小物入れにおいて、前記取付具と前記被取付具とで、凹部材と凸部材とを係合させて互いに結合するホックボタンを構成していてもよい。この場合、ホックボタンを留めるという簡単な操作で、ゴルフバッグにゴルフバッグ用小物入れを装着することができる。また、１つのホックボタンでゴルフバッグにホルダーが取り付けられる場合、ホックボタンの中心軸の周りにホルダーを回転させることができて、ケースの可動範囲がより広がるため、ケースからの小物の取り出しがさらに楽である。
【００１１】
また、前記保持具は、前記ケースを挟持および解放可能なクリップであってもよい。この場合、複数のケースを用意しておくことで、複数のケースの中から任意の１つを選択してホルダーに取り付けることができる。
【００１２】
本考案に係るホルダーは、上部にゴルフクラブを出し入れするための開口を有し、当該開口を囲む口枠部の外側面に付属品を取り付けるための取付具が設けられたゴルフバッグの前記取付具に取り付けて使用され、変形可能な帯状または紐状で、一端に前記取付具に結合可能な被取付具が設けられ、他端に物品を保持することが可能な保持具が設けられていることを特徴としている。
【００１３】
この構成よると、ゴルフバッグの取付具にホルダーの被取付具を取り付けるだけで、ゴルフバッグに簡単に装着することができる。ホルダーは変形可能な帯状または紐状であるため、ホルダーの変形範囲内でゴルフバッグに対して保持具に保持された物品の位置を変えることができ、物品の取扱いが容易である。
【考案の効果】
【００１４】
本考案にかかるゴルフバッグ用小物入れは、上部にゴルフクラブを出し入れするための開口を有し、当該開口を囲む口枠部の外側面に付属品を取り付けるための取付具が設けられたゴルフバッグの前記取付具に取り付けて使用され、小物を収容可能なケースと、一端に前記取付具に結合可能な被取付具が設けられ、他端に前記ケースを保持する保持具が設けられた変形可能な帯状または紐状のホルダーとを備えるため、プレーヤーの身体に装着するのではなくゴルフバッグに装着することができ、その装着作業が簡単で、小物を出し入れし易い。
【００１５】
本考案にかかるホルダーは、上部にゴルフクラブを出し入れするための開口を有し、当該開口を囲む口枠部の外側面に付属品を取り付けるための取付具が設けられたゴルフバッグの前記取付具に取り付けて使用され、変形可能な帯状または紐状で、一端に前記取付具に結合可能な被取付具が設けられ、他端に物品を保持することが可能な保持具が設けられているため、ゴルフバッグへの取付作業が簡単であり、ゴルフバッグ用小物入れに用いるのに適する。
【図面の簡単な説明】
【００１６】
【図１】（ａ）本考案にかかるゴルフバッグ用小物入れの斜視図、（ｂ）はその側面図である。
【図２】（ａ）同ゴルフバッグ用小物入れの異なる状態の斜視図、（ｂ）はその側面図である。
【図３】同ゴルフバッグ用小物入れのケースにティーが収容された状態を示す図である。
【図４】同ケースにスマホが収容された状態を示す図である。
【図５】同ゴルフバッグ用小物入れをゴルフバッグに装着した状態を示す図である。
【考案を実施するための形態】
【００１７】
以下、本考案の実施の形態について図面に基づき説明する。
【００１８】
図１（ａ），（ｂ）は本考案の一実施形態にかかるゴルフバッグ用小物入れの斜視図および側面図、図２（ａ），（ｂ）は同ゴルフバッグ用小物入れの異なる状態を示す斜視図および側面図である。このゴルフバッグ用小物入れ１は、小物を収容可能なケース２と、このケース２をゴルフバッグに取り付けるホルダー３とからなる。
【００１９】
ケース２は、略長方形をした２枚の薄肉材４，５が重ね合わされており、両薄肉材４，５の間に小物が収容されるようになっている。薄肉材４，５は、合成樹脂、布、皮革等の柔軟性を有する材料からなる。２枚の薄肉材４，５は、長方形の４辺のうち３辺Ａ，Ｂ，Ｃは互いに接合され、残りの１辺Ｄは接合されていない。これにより、通常は図１のように２枚の薄肉材４，５の全体が互いに接触した状態となっているが、図２のように接合されていない辺Ｄの部分を両側から押すことで、辺Ｄの部分において２枚の薄肉材４，５の間にすきま６が開き、このすきま６から薄肉材４，５の間に小物を出し入れ可能となる。
なお、２枚の薄肉材４，５の辺Ｄの部分に板ばね等の復元手段（図示せず）を設けておくと、外力を加えないときに図１のようにすきまが閉じた状態に保たれるため、中の小物が脱落することを防止できる。
【００２０】
この実施形態の場合、図１、図２において手前側となる薄肉材４は、中央の大半部分が透明素材シート４ａで形成されている。このため、図３、図４に示すように、薄肉材４，５の間に収容された小物を外から視認することができる。図３は小物としてティー３０が収容された状態を示し、図４は小物としてスマホ３１が収容された状態を示す。薄肉材４に透明素材シート４ａの部分がなく、薄肉材４全体が同じ素材で形成されていてもよい。
【００２１】
図１、図２において奥側となる薄肉材５の前記辺Ｄには、ホルダー３の後記クリップからなる保持具８により挟持される挟持部５ａが形成されている。
【００２２】
ホルダー３は、変形可能な帯状で、一端にゴルフバッグの後記取付具２１に結合可能な被取付具７が設けられ、他端にケース２を保持する保持具８が設けられている。ホルダー３も、ケース２と同様に、合成樹脂、布、皮革等からなる。ホルダー３は、変形可能であれば、紐状であってもよい。
【００２３】
被取付具７は、ゴルフバッグの取付具２１と共にホックボタンを構成する。ホックボタンは凹部材と凸部材とを係合させて互いに結合するものであり、例えば、被取付具７が凹部材で、取付具２１が凸部材とされている。凹部材と凸部材が逆であってもよい。また、被取付具７および取付具２１は、互いに結合可能であれば、ホックボタン以外の結合具であってもよい。
【００２４】
保持具８としては、この実施形態では、ケース２の挟持部５ａを挟持および解放可能なクリップ（例えばタッグクリップ）が用いられている。保持具８は、ケース２を保持することが可能であれば、クリップ以外のものであってもよい。
【００２５】
次に、このゴルフバッグ用小物入れ１が適用されるゴルフバッグを、図５と共に説明する。
ゴルフバッグ１０は、複数本のゴルフクラブを収容可能な筒状の本体部１１を備える。本体部１１の上部には、ゴルフクラブを出し入れするための開口１２が形成されている。本体部１１の正面部には上下２段の正面ポケット１３，１４が設けられ、側面下部には大小２つの側面ポケット１５，１６が設けられている。このゴルフバッグ１０は、底面が平面状の底部１７によって地面に自立可能である。また、本体部１１の上部と下部との間に、運搬用のショルダーベルト１８が設けられている。
【００２６】
前記開口１２を囲む口枠部２０の外側面に、付属品を取り付けるための取付具２１が複数箇所に設けられている。例えば、付属品として、本体部１１に収容されたゴルフクラブの上部を覆うフード（図示せず）が取り付けられる。先に説明したように、この実施形態の場合、取付具２１は、ホックボタンの凸部材とされている。
【００２７】
ゴルフバッグ２０へのゴルフバッグ用小物入れ１の装着は、ゴルフバッグ２０の複数の取付具２１の中から選択された任意の１つの取付具２１に、ゴルフバッグ用小物入れ１の被取付具７を結合して行う。この装着作業は、１つのホックボタンを留めるという簡単な操作をするだけ済む。
【００２８】
このようにしてゴルフバッグ２０に装着されたゴルフバッグ用小物入れ１は、変形可能な帯状または紐状のホルダー３を介してケース２がゴルフバッグ２０に繋がった状態となる。このため、ホルダー３の変形範囲内でゴルフバッグ２０に対するケース２の位置を変えることができる。さらに、取付具２１および被取付具７がホックボタンであり、１つのホックボタンでゴルフバッグ２０にホルダー３が取り付けられているため、ホックボタンの中心軸、すなわち取付具２１および被取付具７の各中心軸の周りにホルダー３を回転させることができて、ケース２の可動範囲が広い。これらのことから、ゴルフクラブ等の障害物を避けて、ケース２から小物を楽に取り出すことができる。
【００２９】
この実施形態の場合、保持具８がケース２を挟持および解放可能なクリップであるため、複数のケース２を用意しておくことで、これら複数のケース２の中から任意の１つを選択してホルダー３に取り付けることができる。また、場合によっては、ホルダー３に、ケース２の代わりに、タオル、鍵、札等の他の物品を取り付けてもよい。
【符号の説明】
【００３０】
１  ゴルフバッグ用小物入れ
２  ケース
３  ホルダー
７  被取付具
８  保持具
１０  ゴルフバッグ
１２  開口
２０  口枠部
２１  取付具
３０  ティー（小物）
３１  スマホ（小物）
【図１】
0003220010.tif 000003
【図２】
0003220010.tif 000004
【図３】
0003220010.tif 000005
【図４】
0003220010.tif 000006
【図５】
0003220010.tif 000007